(57)【要約】【課題】架台および排ガス浄化装置を移動させる必要なく、ポンプの脱着作業を容易に行えるようにする。【解決手段】ポンプ脱着治具２０は、架台１７に対してスライド可能に構成されるスライド部６０を備える。スライド部６０の架台１７に対するスライド方向Ｘは、エンジン１５の出力軸の軸方向である。スライド部６０は、ポンプ１６を支持する。【選択図】図２
2015218667.tif 000002
【特許請求の範囲】
【請求項１】
エンジンと、
前記エンジンに取り付けられるポンプと、
前記ポンプの上に配置され、排ガス浄化装置が取り付けられる架台と、
を備える建設機械に用いられるポンプ脱着治具であって、
前記架台に対してスライド可能に構成されるスライド部を備え、
前記スライド部の前記架台に対するスライド方向は、前記エンジンの出力軸の軸方向であり、
前記スライド部は、前記ポンプを支持する、
ポンプ脱着治具。
【請求項２】
請求項１に記載のポンプ脱着治具であって、
前記スライド部は、前記ポンプを上から引き上げるように支持する、
ポンプ脱着治具。
【請求項３】
請求項１または２に記載のポンプ脱着治具であって、
前記架台に取り付けられるレール部を備え、
前記レール部は、前記レール部に対してスライド可能に前記スライド部を支持する、
ポンプ脱着治具。
【請求項４】
請求項３に記載のポンプ脱着治具であって、
前記レール部から上に突出し、前記架台に固定されるブラケットを備える、
ポンプ脱着治具。
【請求項５】
請求項３または４に記載のポンプ脱着治具であって、
前記レール部に設けられる引出規制部を備え、
前記引出規制部は、前記スライド部のポンプ引出側へのスライドを規制するように構成される、
ポンプ脱着治具。
【請求項６】
請求項５に記載のポンプ脱着治具であって、
前記スライド部は、前記レール部に接触するとともにガイドされるガイド部を備え、
前記引出規制部は、前記レール部に差し込まれるピン状部材を備え、
前記ピン状部材は、前記ガイド部よりもポンプ引出側に配置され、かつ、前記ガイド部に接触可能に配置される、
ポンプ脱着治具。
【請求項７】
請求項３〜６のいずれか１項に記載のポンプ脱着治具であって、
前記レール部および前記スライド部に設けられるスライド規制部を備え、
前記スライド規制部は、ポンプ引出側およびポンプ取付側への前記スライド部のスライドを規制する、
ポンプ脱着治具。
【請求項８】
請求項７に記載のポンプ脱着治具であって、
前記スライド部は、前記レール部に接触するとともに前記レール部にガイドされるガイド部を備え、
前記ガイド部は、前記レール部の下面よりも上に配置され、
前記スライド規制部は、
前記レール部の前記下面に形成される穴部と、
前記ガイド部の下面に設けられ、前記穴部に差込可能に形成される突起部と、
を備える、ポンプ脱着治具。
【請求項９】
請求項３〜８のいずれか１項に記載のポンプ脱着治具であって、
前記レール部は、前記スライド方向に伸縮可能に構成され、
前記レール部は、
前記架台に固定される固定レール部と、
前記固定レール部に取り付けられ、前記固定レール部に対して前記スライド方向にスライド可能である可動レール部と、
を備え、
前記可動レール部は、前記スライド方向にスライド可能に前記スライド部を支持する、
ポンプ脱着治具。
【請求項１０】
請求項９に記載のポンプ脱着治具であって、
前記レール部は、前記固定レール部および前記可動レール部に設けられる伸縮規制部を備え、
前記伸縮規制部は、前記固定レール部に対する前記可動レール部のスライドを規制するように構成される、
ポンプ脱着治具。
【請求項１１】
請求項１０に記載のポンプ脱着治具であって、
前記伸縮規制部は、
前記可動レール部に形成され、前記スライド方向に延びる伸縮規制用スリットと、
前記固定レール部に固定され、前記伸縮規制用スリットに差し込まれる伸縮規制用部材と、
を備える、ポンプ脱着治具。
【請求項１２】
請求項９〜１１のいずれか１項に記載のポンプ脱着治具であって、
前記スライド方向における前記可動レール部の長さは、前記スライド方向における前記固定レール部の長さよりも長い、
ポンプ脱着治具。
【請求項１３】
請求項３〜１２のいずれか１項に記載のポンプ脱着治具であって、
前記レール部は、開口部を備え、
前記開口部は、前記レール部に接触している前記スライド部が上に移動したときに、前記スライド部が前記開口部を通過できるように構成される、
ポンプ脱着治具。
【請求項１４】
エンジンと、
前記エンジンに取り付けられるポンプと、
前記ポンプの上に配置され、排ガス浄化装置が取り付けられる架台と、
を備える建設機械に用いられるポンプ脱着方法であって、
前記架台に対して前記ポンプが支持されるポンプ支持工程と、
前記ポンプ支持工程により支持された前記ポンプが前記エンジンの出力軸の軸方向にスライドさせられるスライド工程と、
を備える、ポンプ脱着方法。
【発明の詳細な説明】
【技術分野】
【０００１】
本発明は、建設機械に用いられるポンプ脱着治具およびポンプ脱着方法に関する。
【背景技術】
【０００２】
特許文献１には、従来の建設機械が記載されている。同文献（図６）には、エンジン（８）に取り付けられたポンプ（１１）が記載されている。同文献（図１および図２）に記載の技術では、排ガス浄化装置（２２）を支持する架台（３１）および排ガス浄化装置（２２）が、ポンプ（１１）の上側（真上）に配置される。
【先行技術文献】
【特許文献】
【０００３】
【特許文献１】特開２０１０−１２７０９４号公報
【発明の概要】
【発明が解決しようとする課題】
【０００４】
ポンプは、エンジンに対して（建設機械に対して）脱着される場合がある。具体的には例えば、ポンプの故障時やメンテナンス時などに、エンジンからポンプが取り外され、建設機械の外にポンプが取り出される。また例えば、ポンプの修理後やメンテナンス後に、建設機械の外からエンジンにポンプが取り付けられる。このようなポンプの脱着時に、ポンプがクレーンなどにより吊り上げられる場合がある。しかし、特許文献１に記載の技術では、排ガス浄化装置（２２）および架台（３１）が、エンジン（８）に取り付けられたポンプ（１１）の上側（真上）に配置される。そのため、クレーンなどによりポンプ（１１）を吊り上げるには、排ガス浄化装置（２２）および架台（３１）を、このポンプ（１１）の上側の位置から移動させる必要がある。そのため、例えば、排ガス浄化装置（２２）および架台（３１）が、建設機械から（旋回フレームから）取り外される。そのため、ポンプの脱着作業に手間がかかるおそれがある。
【０００５】
そこで本発明は、架台および排ガス浄化装置を移動させる必要なく、ポンプの脱着作業を容易に行えるポンプ脱着治具およびポンプ脱着方法を提供することを目的とする。
【課題を解決するための手段】
【０００６】
第１の発明は、建設機械に用いられるポンプ脱着治具である。前記建設機械は、エンジンと、前記エンジンに取り付けられるポンプと、前記ポンプの上に配置され、排ガス浄化装置が取り付けられる架台と、を備える。前記ポンプ脱着治具は、前記架台に対してスライド可能に構成されるスライド部を備える。前記スライド部の前記架台に対するスライド方向は、前記エンジンの出力軸の軸方向である。前記スライド部は、前記ポンプを支持する。
【０００７】
第２の発明は、建設機械に用いられるポンプ脱着方法である。前記建設機械は、エンジンと、前記エンジンに取り付けられるポンプと、前記ポンプの上に配置され、排ガス浄化装置が取り付けられる架台と、を備える。前記ポンプ脱着方法は、前記架台に対して前記ポンプを支持するポンプ支持工程と、前記ポンプ支持工程により支持された前記ポンプを前記エンジンの出力軸の軸方向にスライドさせるスライド工程と、を備える。
【発明の効果】
【０００８】
第１の発明では、架台および排ガス浄化装置を移動させる必要なく、ポンプの脱着作業を容易に行える。第２の発明では、架台および排ガス浄化装置を移動させる必要なく、ポンプの脱着作業を容易に行える。
【図面の簡単な説明】
【０００９】
【図１】第１実施形態の建設機械１を上から見た図である。
【図２】図１に示すポンプ脱着治具２０周辺を示すＦ２矢視断面図である。
【図３】図１に示すポンプ脱着治具２０周辺を示すＦ３矢視図である。
【図４】図１〜図３に示すポンプ脱着治具２０の斜視図である。
【図５】図４に示すスライド部６０の斜視図である。
【図６】図４のＦ６矢視図である。
【図７】第２実施形態のポンプ脱着治具２２０の斜視図である。
【図８】図７に示すレール部３０の内部などをスライド幅方向Ｙから見た断面図である（図７に示す矢印Ｆ８参照）。
【図９】図８に示すＦ９矢視断面図である。
【図１０】図８に示すＦ１０矢視断面図である。
【図１１】第３実施形態の図２相当図である。
【図１２】図１１に示すポンプ脱着治具３２０の斜視図である。
【図１３】図１２に示すレール部３３０の内部などをスライド方向Ｘから見た断面図である（図１２に示す断面Ｆ１３参照）。
【図１４】第４実施形態のポンプ脱着治具４２０の斜視図である。
【図１５】図１４に示すレール部３０の内部などをスライド方向Ｘから見た断面図である（図１４に示す断面Ｆ１５参照）。
【図１６】第５実施形態の図１４相当図である。
【図１７】第６実施形態の図６相当図である。
【図１８】第７実施形態の図２相当図である。
【図１９】第７実施形態の図４相当図である。
【発明を実施するための形態】
【００１０】
図１〜図６を参照して第１実施形態のポンプ脱着治具２０およびポンプ脱着方法について説明する。ポンプ脱着治具２０は建設機械１に用いられる。
【００１１】
建設機械１は、建設作業などを行う機械である。図１に示す建設機械１は、例えばショベルなどである。建設機械１は、例えばクローラを備える下部走行体（図示なし）と、上部旋回体と、を備える。上部旋回体は、旋回フレーム１１と、アタッチメント１２と、カウンタウエイト１３と、図２に示すガード１４と、エンジン１５と、ポンプ１６と、図３に示す架台１７と、排ガス浄化装置１８と、ポンプ脱着治具２０と、を備える。
【００１２】
旋回フレーム１１（図１参照）は、下部走行体（図示なし）に対して旋回可能に、下部走行体の上に搭載される。図１に示す旋回フレーム１１上には、アタッチメント１２、およびカウンタウエイト１３などが搭載される。アタッチメント１２は、各種作業を行うための装置である。建設機械１がショベルの場合、アタッチメント１２は、ブーム、アーム（図示なし）、およびバケット（図示なし）などである。カウンタウエイト１３は、旋回フレーム１１の機械前後方向（例えば後述するスライド幅方向Ｙ）の後側の端部に固定される、おもりである。ここで、旋回フレーム１１に関する方向を次のように定義する。カウンタウエイト１３からアタッチメント１２に向かう側を、機械前後方向の前側とする。アタッチメント１２からカウンタウエイト１３に向かう側を、機械前後方向の後側とする。水平方向、かつ、機械前後方向に直交する方向を、機械左右方向（例えば後述するスライド方向Ｘ）とする。機械左右方向における旋回フレーム１１の中央から外側に向かう側を、機械左右方向外側とする。上下方向を上下方向Ｚとし、上側を上側Ｚ１とし、下側を下側Ｚ２とする。
【００１３】
ガード１４は、図２に示すように、エンジン１５およびポンプ１６などを覆う。ガード１４は、ガード側面１４ｓと、ガード上面１４ｕと、を備える。ガード側面１４ｓは、ガード１４のうち機械左右方向外側の面であって、ポンプ１６に近い側の面である。ポンプ１６の機械左右方向外側部分では、ガード側面１４ｓは、開閉可能に構成される（ポンプ１６の脱着のため）。ガード上面１４ｕは、ガード１４の上側Ｚ１の面である。なお、図１ではガード１４を省略し、図２ではガード１４を想像線（二点鎖線）で示した。
【００１４】
エンジン１５は、建設機械１の駆動源であり、ポンプ１６の駆動源である。エンジン１５は、旋回フレーム１１上に搭載される。エンジン１５の出力軸の軸方向（以下、単に「エンジン１５の軸方向」ともいう）は、機械左右方向である。なお、エンジン１５の軸方向は、機械前後方向などでもよい。
【００１５】
ポンプ１６は、圧油を吐出する油圧ポンプである。ポンプ１６は、エンジン１５の出力軸に取り付けられる。ポンプ１６は、エンジン１５に対して着脱可能である。以下では特に断らない限り、ポンプ１６がエンジン１５に取り付けられた状態について説明する。ポンプ１６は、ポンプ本体１６ａと、フランジ１６ｂと、を備える。ポンプ本体１６ａは、エンジン１５の出力軸に取り付けられる。ポンプ本体１６ａは、エンジン１５の出力軸の軸方向に延びる。ポンプ本体１６ａは、エンジン１５の軸方向を中心軸とする円柱状（略円柱状を含む）である。ポンプ本体１６ａは、略円柱状のケーシングと、ケーシングから突出する部材（配管のコネクタなど）と、を備える。ポンプ本体１６ａは、エンジン１５の軸方向に直列的に並ぶ複数のポンプ（単位ポンプ）により構成される。フランジ１６ｂは、ポンプ本体１６ａのエンジン１５側の端部に固定される。フランジ１６ｂは、円板状の部材であり、機械左右方向から見て円形（略円形を含む）である（図３参照）。フランジ１６ｂは、エンジン１５の側面（機械左右方向外側の面）に固定される。フランジ１６ｂとエンジン１５の側面とは、複数（例えば十数個など）のボルトにより固定される。
【００１６】
架台１７は、排ガス浄化装置１８が取り付けられる台である。図３に示すように、架台１７は、旋回フレーム１１に対して排ガス浄化装置１８を支持する台である。架台１７には、フィルタ、ガード、およびマフラ（それぞれ図示なし）などが取り付けられてもよい。架台１７は、架台本体１７ａと、支柱１７ｂと、を備える。架台本体１７ａ（天板）は、排ガス浄化装置１８が取り付けられる部分である。架台本体１７ａは、ポンプ１６の上側Ｚ１（真上）に配置される。架台本体１７ａは、例えば板状である。架台本体１７ａは、例えば上下方向Ｚの段差など（段差、凹凸、水平方向に対して傾斜する部分など。以下単に「段差」ともいう）がない平板である。架台本体１７ａは、上下方向Ｚの段差がある板（図示なし）でもよい。架台本体１７ａは、板状でなくてもよい。架台本体１７ａは、棒状の部材などを備えてもよい（図示なし）。支柱１７ｂは、旋回フレーム１１に対して架台本体１７ａを支持する柱である。
【００１７】
排ガス浄化装置１８は、エンジン１５（図２参照）の排気ガスを浄化する装置である。排ガス浄化装置１８は、例えばＳＣＲ（Selective Catalytic Reduction、選択触媒還元）装置であり、例えば尿素ＳＣＲ装置などである。排ガス浄化装置１８は、架台本体１７ａの上側Ｚ１（真上）に配置され、架台本体１７ａに固定される。
【００１８】
ポンプ脱着治具２０（ポンプ脱着用治具、ポンプ脱着スライド治具）は、図２に示すように、建設機械１に対するポンプ１６の脱着を支援する装置（機構）である。ポンプ脱着治具２０は、エンジン１５に取り付けられたポンプ１６を建設機械１の外に引き出し、建設機械１からポンプ１６を取り外す作業を支援する装置である。ポンプ脱着治具２０は、建設機械１の外にあるポンプ１６をエンジン１５に取り付ける作業を支援する装置である。ポンプ脱着治具２０は、架台１７に対して（旋回フレーム１１に対して）ポンプ１６をスライドさせるための治具である。
【００１９】
このポンプ脱着治具２０に関する方向を次のように定義する。ポンプ脱着治具２０に関する方向には、スライド方向Ｘと、スライド幅方向Ｙと、がある。スライド方向Ｘは、架台１７に対してポンプ１６がスライド（ポンプ脱着治具２０によるスライド）する方向である。スライド方向Ｘは、エンジン１５の軸方向である。スライド方向Ｘは、例えば機械左右方向である（機械前後方向などでもよい）。スライド方向Ｘには、ポンプ引出側Ｘ１と、ポンプ取付側Ｘ２と、がある。ポンプ引出側Ｘ１は、ポンプ１６がエンジン１５から離れるときのポンプ１６のスライド（スライド方向Ｘのスライド）の向きである。ポンプ取付側Ｘ２は、ポンプ１６がエンジン１５に近づくときのポンプ１６のスライド（スライド方向Ｘのスライド）の向きである。スライド幅方向Ｙは、水平方向、かつ、スライド方向Ｘに直交する方向である。スライド幅方向Ｙは、例えば機械前後方向である（機械左右方向などでもよい）。図３に示すように、スライド幅方向Ｙには、スライド幅方向内側Ｙ１と、スライド幅方向外側Ｙ２と、がある。スライド幅方向内側Ｙ１は、スライド幅方向Ｙにおいて、ポンプ１６の中心軸（エンジン１５の中心軸）に近づく側である。スライド幅方向外側Ｙ２は、スライド幅方向Ｙにおいて、ポンプ１６の中心軸から離れる側である。
【００２０】
このポンプ脱着治具２０は、図２に示すように、ポンプ１６と架台本体１７ａとの間に配置される。ポンプ脱着治具２０は、ポンプ１６の上側Ｚ１（真上）に配置され、架台本体１７ａの下側Ｚ２（真下）に配置される。図４に示すように、ポンプ脱着治具２０は、レール部３０と、ブラケット５０と、スライド部６０と、吊下部材７０（図３参照）と、引出規制部８０と、を備える。
【００２１】
レール部３０は、架台１７に取り付けられる。レール部３０は、レール部３０に対してスライド方向Ｘにスライド可能にスライド部６０を支持する。レール部３０は、スライド幅方向Ｙに間隔をあけて２本設けられる。なお、図２では、２本のレール部３０・３０のうち機械前後方向後側のレール部３０を省略した（図７、図１１、図１２、図１４、および図１６も同様）。図４に示すように、２本のレール部３０・３０それぞれは、スライド方向Ｘに延びる棒状の部材である。２本のレール部３０・３０は、他の部材と干渉しないように配置される（間隔および位置が設定される）。図３に示すように、２本のレール部３０・３０は、ポンプ１６をスライドさせたときに、レール部３０・３０とポンプ１６（特にフランジ１６ｂ）とが干渉しないように配置される。具体的には、２本のレール部３０・３０の間（レール部３０よりもスライド幅方向内側Ｙ１）にフランジ１６ｂが配置されるように、レール部３０・３０が配置される。２本のレール部３０・３０は、スライド幅方向Ｙに対称である。以下では１本のレール部３０について説明する。図４に示すように、レール部３０は、レール部本体３３と、スリット３５と、を備える。
【００２２】
レール部本体３３は、レール部３０の本体部分（棒状の部分）である。レール部本体３３は、架台本体１７ａの下側Ｚ２の面に取り付けられる（固定される）。レール部本体３３は、ブラケット５０を介して架台本体１７ａに取り付けられる。レール部本体３３は、締結部材（例えばボルトおよびナット）により着脱可能に、架台本体１７ａに固定される。締結部材（例えばボルトおよびナット）により着脱可能に部材どうしが固定される点は、他の部材どうしの固定（レール部本体３３と架台本体１７ａとの組み合わせ以外の部材どうしの固定）についても同様である。レール部本体３３は、架台本体１７ａよりもポンプ引出側Ｘ１に突出する。レール部本体３３は、ガード上面１４ｕ（図２参照）やガード側面１４ｓ（図２参照）よりもポンプ引出側Ｘ１に突出する。レール部本体３３の長さの詳細は後述する。レール部本体３３には、ピン状部材８１（後述）が差し込まれる孔が形成される。レール部本体３３は、スライド部６０のガイド部６１（図５参照、後述）を支持できるように、かつ、ガイド部６１がスライド方向Ｘに移動できるように構成される。レール部本体３３は、スライド方向Ｘに直交する方向（スライド幅方向Ｙや上下方向Ｚ）へのガイド部６１の移動を規制するように構成される。レール部本体３３は、略筒状に構成される。図６に示すように、スライド方向Ｘから見たレール部本体３３の断面は、例えばＣ字状などである。例えば、同断面は、四角形から、四角形の内部とスリット３５部分とを取り除いた形状である。レール部本体３３は、下面３３ｂと、内側側面３３ｉと、外側側面３３ｏと、上面３３ｕと、を備える。
【００２３】
下面３３ｂは、レール部本体３３（レール部３０）の下側Ｚ２部分の面である。下面３３ｂは、上下方向Ｚに直交する。内側側面３３ｉは、レール部本体３３のスライド幅方向内側Ｙ１部分の面である。外側側面３３ｏは、レール部本体３３のスライド幅方向外側Ｙ２部分の面である。内側側面３３ｉおよび外側側面３３ｏは、下面３３ｂから上側Ｚ１に延びる。上面３３ｕは、レール部３０の上側Ｚ１部分の面である。上面３３ｕは、ガイド部６１（後述）を上から覆う。上面３３ｕは、内側側面３３ｉおよび外側側面３３ｏの上側Ｚ１端部どうしをつなぐ。
【００２４】
スリット３５は、スライド部６０がレール部３０に対してスライド方向Ｘにスライド可能となるように設けられる。スリット３５は、レール部本体３３のスライド幅方向内側Ｙ１部分（内側側面３３ｉ）に形成される。スリット３５は、スライド部６０の梁６３ｙ（後述）が通過可能となるように構成される（梁６３ｙが通過可能となるように上下方向Ｚの幅が設定される）。図４に示すように、スリット３５は、スライド方向Ｘに延びる。スリット３５は、レール部３０からスライド部６０をポンプ引出側Ｘ１に取り外せるように構成される。スリット３５は、レール部本体３３のポンプ引出側Ｘ１の端まで（この端が開口するように）形成される。スリット３５のポンプ取付側Ｘ２端部は、レール部本体３３のポンプ取付側Ｘ２の端よりもポンプ引出側Ｘ１である。スリット３５は、レール部本体３３のポンプ取付側Ｘ２の端まで（この端が開口するように）形成されてもよい（図示なし）。
【００２５】
ブラケット５０は、架台１７（架台本体１７ａ）とレール部３０とを連結する。ブラケット５０は、架台１７とレール部３０との距離を調整可能である。例えば、架台本体１７ａに上記の上下方向Ｚの段差があるとする（図示なし）。このような場合でもレール部３０が適切に配置されるように、ブラケット５０は、架台１７とレール部３０との距離を調整する（言わば、架台本体１７ａの段差を吸収する）。具体的には例えば、ブラケット５０は、レール部３０の長手方向がスライド方向Ｘに一致するように（スライド方向Ｘに対して傾かないように）、レール部３０を配置させる。また例えば、図３に示すように、ブラケット５０は、スライド部６０が水平に配置されるように、２本のレール部３０・３０の高さ（旋回フレーム１１からの高さ）が揃うように、２本のレール部３０・３０を配置させる。ブラケット５０により、架台１７の構成（形状など）が異なっていても（例えば異なる機種の建設機械１どうしでも）、レール部３０およびスライド部６０を共通化できる。ブラケット５０は、レール部３０から上側Ｚ１に突出する。ブラケット５０は、図６に示すレール部本体３３の上面３３ｕから上側Ｚ１に突出する。ブラケット５０（図３参照）は、上面３３ｕに固定される（外側側面３３ｏや下面３３ｂなどに固定されてもよい）。図３に示すように、ブラケット５０は、架台本体１７ａに固定される。ブラケット５０は、架台本体１７ａの下側Ｚ２の面に固定される。ブラケット５０は、支柱１７ｂに固定されてもよい（図示なし）。ブラケット５０は、レール部３０と同様に、他の部材（特にポンプ１６のフランジ１６ｂ）と干渉しない位置に配置される。図４に示すように、ブラケット５０は、例えば、１本のレール部３０あたり２個ずつ（２本のレール部３０・３０では合計４個）設けられる。ブラケット５０は、１本のレール部３０に３個以上設けられてもよく、１本のレール部３０に１個のみ設けられてもよい。なお、図３や図７などと、図４と、では異なる形状のブラケット５０を図示した。
【００２６】
スライド部６０は、図４に示すように、架台１７に対してスライド方向Ｘにスライド可能に構成される。スライド部６０は、レール部３０に対してスライド方向Ｘにスライド可能に構成される。スライド部６０は、レール部３０に取り付けられる。スライド部６０は、２本のレール部３０・３０それぞれに取り付けられる。スライド部６０は、２本のレール部３０・３０を連結するように配置される。図２に示すように、スライド部６０は、ポンプ１６を支持する。スライド部６０は、ポンプ１６を上から引き上げるように支持する。スライド部６０は、ポンプ本体１６ａの上側Ｚ１（真上）に配置される。スライド部６０は、ポンプ本体１６ａと干渉しない位置に配置される。スライド部６０は、例えばフランジ１６ｂよりもポンプ引出側Ｘ１に配置される。スライド部６０は、フランジ１６ｂの上側Ｚ１（真上）などに配置されてもよい（図示なし）。図６に示すように、スライド部６０は、ガイド部６１と、連結部６３と、を備える。
【００２７】
ガイド部６１は、レール部３０に接触する。ガイド部６１は、レール部３０にガイドされる。ガイド部６１は、スライド幅方向Ｙに間隔をあけて２つ設けられる。２つのガイド部６１・６１は、スライド幅方向Ｙに対称である。以下では１つのガイド部６１について説明する。ガイド部６１は、レール部本体３３の内部に配置される。ガイド部６１は、下面３３ｂと内側側面３３ｉと外側側面３３ｏと上面３３ｕとで囲まれた空間に配置される。図５に示すように、ガイド部６１は、スライド方向Ｘに延びる棒状の部材である。ガイド部６１の長手方向（スライド方向Ｘ）から見た断面は、例えば四角形などである。長手方向から見た断面が例えば四角形である点は、連結部６３の構成要素（後述する梁６３ｙや梁６３ｘ）についても同様である。
【００２８】
連結部６３は、２つのガイド部６１・６１を連結する。連結部６３は、２つのガイド部６１・６１に固定され、例えばガイド部６１の上面に固定される。連結部６３は、例えば棒状の部材を組み合わせたものなどである。連結部６３は、板状の部材などを備えてもよい（図示なし）。連結部６３は、スライド方向Ｘに延びる梁６３ｘと、スライド幅方向Ｙに延びる梁６３ｙと、を備える。梁６３ｘは、２つのガイド部６１・６１よりもスライド幅方向Ｙ内側に配置される。梁６３ｘは、スライド幅方向Ｙに間隔をあけて複数本設けられ、例えば２本設けられる（３本以上設けられてもよい）。梁６３ｙは、２つのガイド部６１・６１を連結し、２つのガイド部６１・６１に固定される。梁６３ｙは、スライド方向Ｘに間隔をあけて複数本設けられ、例えば４本設けられる（３本以下や５本以上設けられてもよい）。２本の梁６３ｘ・６３ｘそれぞれは、４本の梁６３ｙに固定される。連結部６３は、吊下部材取付位置６７を備える。
【００２９】
吊下部材取付位置６７は、吊下部材７０（図２参照）が取り付けられる位置である。吊下部材取付位置６７は、吊下部材７０により吊り下げられたポンプ１６（図２参照）が安定するように配置される。吊下部材取付位置６７は、複数か所設けられ、例えば４か所設けられる（５か所以上設けられてもよい）。複数の吊下部材取付位置６７は、スライド方向Ｘおよびスライド幅方向Ｙに間隔をあけて配置される。吊下部材取付位置６７は、スライド部６０に対する吊下部材７０（図２参照）の移動を規制できるように構成される。例えば、吊下部材取付位置６７は、スライド方向Ｘに隣り合う２本の梁６３ｙに挟まれた位置、かつ、梁６３ｘ上である。吊下部材取付位置６７を挟む２本の梁６３ｙどうしのスライド方向Ｘの間隔Ｘ６７ａは、吊下部材取付位置６７を挟まない２本の梁６３ｙどうしのスライド方向Ｘの間隔Ｘ６７ｂよりも小さく設定される。なお、梁６３ｘ、梁６３ｙ、および吊下部材取付位置６７の構成は上記以外のものとしてもよい。例えば、梁６３ｘを４本とし、梁６３ｙを２本とし、スライド幅方向Ｙに隣り合う梁６３ｘに挟まれた位置かつ梁６３ｙ上の位置に吊下部材取付位置６７を設定してもよい。
【００３０】
吊下部材７０は、図２に示すように、スライド部６０に対してポンプ１６を支持する部材（ポンプ支持部材）である。吊下部材７０は、スライド部６０からポンプ１６を吊り下げる部材（吊り具）である。吊下部材７０は、例えば、線状部材とフック（図示なし）とを組み合わせたものなどである。吊下部材７０を構成する線状部材は、ワイヤーやチェーンなどである。線状部材の長さ（スライド部６０に対してポンプ１６を支持する部分の長さ）は、線状部材を巻き取る装置（図示なし）などにより調整可能とされる。吊下部材７０は、吊下部材取付位置６７（図５参照）に取り付けられる。例えば吊下部材７０を構成するフックは、吊下部材取付位置６７に引っ掛けられる。また例えば吊下部材７０を構成する線状部材は、吊下部材取付位置６７に通されてもよい。吊下部材７０（線状部材）は、ポンプ１６が安定するように、ポンプ１６の下側Ｚ２部分に掛けられる。具体的には例えば、ポンプ本体１６ａに掛けられる吊下部材７０（線状部材）は、複数本であり、例えば２本である（３本以上でもよい）。吊下部材７０（線状部材）は、ポンプ本体１６ａに対して吊下部材７０がずれにくくなるように配置される。具体的には例えば、吊下部材７０（線状部材）は、ポンプ本体１６ａのケーシングに掛かるように、ケーシングから突出する部材（配管のコネクタなど）を避けるように、ポンプ本体１６ａに掛けられる。なお、図３では、吊下部材７０の配置を模式的に示した。
【００３１】
引出規制部８０（スライダー落下防止部）は、図４に示すスライド部６０がレール部３０から落下することを防止する。引出規制部８０は、スライド部６０のポンプ引出側Ｘ１へのスライドを規制する（この規制を「引出規制」とする）。引出規制部８０は、スライド部６０のスライド位置（レール部３０に対するスライド部６０の位置）が所定の位置（引出規制位置）のときに、引出規制を行う。引出規制部８０は、スライド部６０のスライド位置が引出規制位置以外のときには、引出規制を行わない。引出規制部８０は、引出規制位置に配置されたスライド部６０の一部（またはスライド部６０に固定された部材）と、レール部３０に固定された部材（またはレール部３０の一部）と、が接触するように構成される。具体的には例えば、引出規制部８０は、ピン状部材８１と、スライド側接触部８３と、を備える。
【００３２】
ピン状部材８１は、レール部３０に設けられ、レール部３０に固定される。ピン状部材８１は、レール部３０に差し込まれる。ピン状部材８１は、レール部本体３３のポンプ引出側Ｘ１の端部（端の近傍）に配置される。ピン状部材８１は、ガイド部６１よりもポンプ引出側Ｘ１に配置される。ピン状部材８１は、ガイド部６１に接触可能に配置される。ピン状部材８１は、ガイド部６１とスライド方向Ｘに対向するように配置される。ピン状部材８１は、スライド部６０が引出規制位置に配置されたときに、スライド側接触部８３に接触する。ピン状部材８１は、例えばボルト（スライダー落下防止ボルト）である。ピン状部材８１は、例えばレール部本体３３の上面３３ｕ（図６参照）および下面３３ｂ（図６参照）を上下方向Ｚに貫通するように配置される。ボルトであるピン状部材８１の先端部（例えば下面３３ｂ（図６参照）よりも下側Ｚ２部分）には、ナット（図示なし）が取り付けられる（取り付けられなくてもよい）。なお、ピン状部材８１は、例えば、スライド幅方向Ｙなどにレール部本体３３を貫通してもよく（図示なし）、また例えば、上面３３ｕおよび下面３３ｂのうち一方のみを貫通してもよい（後述する第３実施形態（図１２）参照）。
【００３３】
スライド側接触部８３は、スライド部６０に設けられる。スライド側接触部８３は、スライド部６０が引出規制位置のときにピン状部材８１に接触する。スライド側接触部８３は、ピン状部材８１に取り付けられた部材（ナットなど）を介して、ピン状部材８１に接触してもよい（後述する第３実施形態（図１２）参照）。スライド側接触部８３は、例えばガイド部６１のポンプ引出側Ｘ１の端の面である。スライド側接触部８３とガイド部６１とは一体である（別体でもよい）。
【００３４】
（動作、ポンプ脱着方法）
図２に示す建設機械１に対してポンプ１６を脱着するポンプ脱着方法について説明する。ポンプ脱着方法には、建設機械１からポンプ１６が取り外されるポンプ取外し工程と、建設機械１にポンプ１６が取り付けられるポンプ取付工程と、がある。ポンプ取外し工程は、ポンプ脱着治具組立工程と、ポンプ支持工程（第１ポンプ支持工程）と、エンジン−ポンプ取外し工程と、スライド工程（第１スライド工程）と、ポンプ吊上工程と、スライド部引抜工程と、を備える。
【００３５】
ポンプ脱着治具組立工程は、分解された状態のポンプ脱着治具２０が組み立てられ、ポンプ脱着治具２０が架台１７に取り付けられる工程である。ポンプ脱着治具組立工程は、次の［工程Ａ−１］〜［工程Ａ−４］のように行われる。［工程Ａ−１］図４に示すブラケット５０がレール部３０に固定される。上記のように、レール部３０を適切に配置できるように、架台１７の構成に対応したブラケット５０が選択される。［工程Ａ−２］ブラケット５０が架台１７に固定される。この［工程Ａ−２］は、上記［工程Ａ−１］よりも前に行われてもよい。また、以下の各工程も、適宜順序が変更されてもよい。［工程Ａ−３］レール部３０にピン状部材８１が取り付けられていない状態で、スライド部６０がレール部３０に取り付けられる。スライド部６０は、レール部本体３３の内部に差し込まれる。［工程Ａ−４］ピン状部材８１が、レール部３０に差し込まれる。［工程Ａ−５］図２において二点鎖線で示すように、スライド部６０が、ポンプ１６の上側Ｚ１（真上）に配置される。なお、排ガス浄化装置１８、フィルタ（図示なし）、ガードなど（図示なし）は、架台１７から取り外される必要はない。
【００３６】
ポンプ支持工程は、架台１７に対してポンプ１６が支持される工程である。ポンプ支持工程は、次の［工程Ｂ−１］〜［工程Ｂ−２］のように行われる。［工程Ｂ−１］吊下部材７０が、スライド部６０の吊下部材取付位置６７（図５参照）に取り付けられる。例えば、吊下部材７０を構成するフック（図示なし）が、吊下部材取付位置６７に引っ掛けられる。また、吊下部材７０が、ポンプ１６に掛けられる。例えば、吊下部材７０を構成する線状部材が、ポンプ本体１６ａの下側Ｚ２部分に掛けられる。［工程Ｂ−２］吊下部材７０を構成する線状部材の長さ（スライド部６０に対してポンプ１６を支持する部分の長さ）が調整されることで、ポンプ１６が引き上げられる（吊り上げられる）。この［工程Ｂ−２］では、後述する［工程Ｃ−２］で、フランジ１６ｂとエンジン１５とを固定するボルトを取り外すことができる程度に、ポンプ１６が引き上げられる。
【００３７】
エンジン−ポンプ取外し工程は、ポンプ支持工程により支持されたポンプ１６がエンジン１５から取り外される工程である。エンジン−ポンプ取外し工程は次の［工程Ｃ−１］〜［工程Ｃ−２］のように行われる。［工程Ｃ−１］ポンプ１６に接続された配管類（図示なし）が、ポンプ１６から外される。［工程Ｃ−２］フランジ１６ｂがエンジン１５から外される。具体的には、フランジ１６ｂとエンジン１５とを固定するボルトが取り外される。
【００３８】
スライド工程は、ポンプ支持工程により支持されたポンプ１６が、スライド方向Ｘ（エンジン１５の出力軸の軸方向）にスライドさせられる工程である。スライド工程は次の［工程Ｄ−１］〜［工程Ｄ−２］のように行われる。［工程Ｄ−１］ポンプ１６およびスライド部６０が、ポンプ引出側Ｘ１に引き出される。［工程Ｄ−２］スライド部６０が引出規制位置までスライドしたとき、図４に示すピン状部材８１とスライド側接触部８３とが接触する。その結果、スライド部６０のポンプ引出側Ｘ１への移動が規制される。ここで、図２に示すポンプ１６およびスライド部６０は、ポンプ引出側Ｘ１に、次の［位置α１］まで引き出され、好ましくは、次の［位置α２］〜［位置α６］まで引き出される。
［位置α１］ポンプ１６の重心が、架台本体１７ａのポンプ引出側Ｘ１端部よりもポンプ引出側Ｘ１に配置されるような位置。
［位置α２］ポンプ１６の重心が、ガード上面１４ｕのポンプ引出側Ｘ１端部よりも（開閉可能なガード側面１４ｓが閉じた状態のときのガード側面１４ｓの位置よりも）ポンプ引出側Ｘ１に配置されるような位置。
［位置α３］ポンプ１６の大部分が、架台本体１７ａよりもポンプ引出側Ｘ１に配置されるような位置。上記「ポンプ１６の大部分」は、スライド方向Ｘにおけるポンプ１６の長さの少なくとも７割の長さの部分であり、好ましくは８割の長さの部分であり、さらに好ましくは９割の長さの部分である。「ポンプ１６の大部分」は、例えば、ポンプ１６のうち、フランジ１６ｂよりもポンプ引出側Ｘ１の部分全体である。
［位置α４］ポンプ１６の大部分（上記参照）が、ガード上面１４ｕのポンプ引出側Ｘ１端部よりもポンプ引出側Ｘ１に配置されるような位置。
［位置α５］ポンプ１６の全体が、架台本体１７ａよりもポンプ引出側Ｘ１に配置されるような位置。
［位置α６］ポンプ１６の全体が、ガード上面１４ｕのポンプ引出側Ｘ１端部よりもポンプ引出側Ｘ１に配置されるような位置。
レール部３０のスライド方向Ｘの長さは、所望の位置（例えば上記［位置α１］〜［位置α６］のいずれか）までスライド部６０を引き出せるように設定される。
【００３９】
ポンプ吊上工程は、クレーンなど（以下、単に「クレーン」）により、ポンプ１６が吊り上げられる工程である。ポンプ吊上工程は、次の［工程Ｅ−１］または［工程Ｅ−２］のように行われる。［工程Ｅ−１］ポンプ１６がクレーンにより直接吊り上げられる。［工程Ｅ−２］スライド部６０がクレーンにより吊り上げられる。その結果、ポンプ１６がクレーンにより吊り上げられる。このポンプ吊上工程では、上記のスライド工程でポンプ１６をポンプ引出側Ｘ１に引き出すほど、安定してポンプ１６を吊り上げやすい。なぜなら、ポンプ１６をポンプ引出側Ｘ１に引き出すほど、クレーンの吊上用ロープ（図示なし）が架台１７やガード１４に干渉しにくくなるからである。例えば、ポンプ１６をポンプ引出側Ｘ１に引き出すほど、スライド方向Ｘに間隔をあけて、複数本の吊上用ロープをポンプ１６に掛けやすくなる。
【００４０】
スライド部引抜工程は、クレーンにより吊り上げられたスライド部６０およびポンプ１６が、レール部３０から引き抜かれる工程である。スライド部引抜工程は、次の［工程Ｆ−１］〜［工程Ｆ−２］のように行われる。［工程Ｆ−１］図４に示す引出規制部８０による引出規制が解除される。具体的には、レール部３０からピン状部材８１が取り外される。［工程Ｆ−２］クレーンが操作されることにより、スライド部６０がポンプ引出側Ｘ１にスライドする。そして、スライド部６０がレール部３０から取り外される。その結果、図２に示す建設機械１の外にポンプ１６が取り外される。このように、ポンプ取外し工程は、１台のクレーンで作業可能であり、ポンプ１６を下から支える機械（フォークリフトなど）は不要である。
【００４１】
ポンプ取付工程は、ポンプ取外し工程のほぼ逆の手順により行われる。例えば、ポンプ取付工程は、第２ポンプ支持工程と、第２スライド工程と、ポンプ固定工程と、ポンプ脱着治具分解工程と、を備える。第２ポンプ支持工程は、建設機械１の外にあるポンプ１６が、吊下部材７０を介してスライド部６０により支持される工程である。第２スライド工程は、ポンプ取外し工程でのスライド工程（第１スライド工程）に対し、ポンプ１６およびスライド部６０のスライドの向きが逆（ポンプ取付側Ｘ２）である。ポンプ固定工程は、ポンプ１６がエンジン１５に取り付けられる（固定される）工程である。ポンプ脱着治具分解工程は、ポンプ脱着治具２０が架台１７から取り外され、ポンプ脱着治具２０が分解される工程である。
【００４２】
（効果１（発明１））
図２に示すポンプ脱着治具２０による効果を説明する。ポンプ脱着治具２０は、建設機械１に用いられる。建設機械１は、エンジン１５と、エンジン１５に取り付けられるポンプ１６と、ポンプ１６の上側Ｚ１に配置され排ガス浄化装置１８が取り付けられる架台１７と、を備える。
［構成１−１］ポンプ脱着治具２０は、架台１７に対してスライド可能に構成されるスライド部６０を備える。
［構成１−２］スライド部６０の架台１７に対するスライド方向Ｘは、エンジン１５の出力軸の軸方向である。
［構成１−３］スライド部６０は、ポンプ１６を支持する。
【００４３】
（効果１−１）
上記［構成１−１］および［構成１−３］により、ポンプ１６は、架台１７に対してスライド可能である。よって、ポンプ１６を脱着（エンジン１５に対して脱着、建設機械１に対して脱着）する際、架台１７および排ガス浄化装置１８を（旋回フレーム１１に対して）移動させる必要がない。例えば、架台１７および排ガス浄化装置１８を、建設機械１から（旋回フレーム１１から）取り外す必要がない。よって、ポンプ１６の脱着作業を容易に行える。
【００４４】
（効果１−２）
上記［構成１−２］および［構成１−３］により、ポンプ１６のスライド方向Ｘは、エンジン１５の出力軸の軸方向である。よって、エンジン１５に対するポンプ１６の脱着の方向と、ポンプ１６のスライド方向Ｘと、が一致する。よって、エンジン１５に対するポンプ１６の脱着の方向とは異なる方向にポンプ１６をスライドさせる必要がない。具体的には例えば、エンジン１５からポンプ１６を機械左右方向外側に取り外した後、ポンプ１６を機械前後方向にスライドさせる、といった作業をする必要がない。よって、ポンプ１６の脱着作業を容易に行える。
【００４５】
（効果１−３）
上記［構成１−２］および［構成１−３］により、ポンプ１６のスライド方向Ｘは、エンジン１５の出力軸の軸方向（水平方向）なので、ポンプ１６の脱着作業を確実に行うことができる。この効果の詳細は次の通りである。旋回フレーム１１に対して架台１７を移動させずにポンプ１６を建設機械１から取り外すために、ポンプ１６を下側Ｚ２（真下）にスライドさせるとする。具体的には例えば、旋回フレーム１１のポンプ１６の下側Ｚ２（真下）の位置に開口（ポンプ室下側開口）を設け、この開口にポンプ１６を通すことで、ポンプ１６を建設機械１から取り外すとする。この場合、開口の下側Ｚ２（真下）に下部走行体（クローラ等）が配置されると、開口からポンプ１６を取り出せないおそれがある（または取り出すことが困難となるおそれがある）。特に、開口の下側Ｚ２（真下）に下部走行体が配置され、かつ、下部走行体に対して上部旋回体を旋回させる旋回モータ（図示なし）を駆動するポンプ１６が故障した場合は、ポンプ１６を建設機械１から取り外せない。一方、上記［構成１−２］では、ポンプ１６のスライド方向Ｘは、エンジン１５の出力軸の軸方向（水平方向）なので、ポンプ１６を建設機械１から取り出せないという問題は生じない。
【００４６】
（効果２（発明２））
［構成２］スライド部６０は、ポンプ１６を上から引き上げるように支持する。
【００４７】
上記［構成２］により、ポンプ１６を下から持ち上げる装置（リフトアップ装置）（ジャッキなど）を用いる必要がない。よって、リフトアップ装置のコストや配置スペースを削減できる。また、上記［構成２］では、ポンプ１６を上から引き上げるので、例えばワイヤーやチェーンなどの簡易な構成で、ポンプ１６の引き上げができる。
【００４８】
（効果３（発明３））
［構成３］ポンプ脱着治具２０は、架台１７に取り付けられるレール部３０を備える。レール部３０は、レール部３０に対してスライド可能にスライド部６０を支持する。
【００４９】
上記［構成３］により、スライド部６０は、架台１７に対してスライド可能に支持される。よって、スライド部６０に支持されるポンプ１６を、架台１７に対してスライド可能に支持することができる。
【００５０】
（効果４（発明４））
図４に示すように、ポンプ脱着治具２０は、ブラケット５０を備える。
［構成４］ブラケット５０は、レール部３０から上側Ｚ１に突出し、架台１７に固定される。
【００５１】
上記［構成４］のブラケット５０の高さ（上下方向Ｚの幅）を調整することで、架台１７とレール部３０との距離を調整できる。よって、架台１７に上下方向Ｚの段差などがある場合でも、適切にレール部３０を配置できる。
【００５２】
（効果５（発明５））
［構成５］ポンプ脱着治具２０は、レール部３０に設けられる引出規制部８０を備える。引出規制部８０は、スライド部６０のポンプ引出側Ｘ１へのスライドを規制するように構成される。
【００５３】
上記［構成５］により、レール部３０に対してスライド部６０をポンプ引出側Ｘ１に引き出しすぎることにより生じる問題（レール部３０からスライド部６０が落下するなど）を抑制できる。
【００５４】
（効果６（発明６））
スライド部６０は、レール部３０に接触するとともにガイドされるガイド部６１を備える。
［構成６］引出規制部８０は、レール部３０に差し込まれるピン状部材８１を備える。ピン状部材８１は、ガイド部６１よりもポンプ引出側Ｘ１に配置され、かつ、ガイド部６１に接触可能に配置される。
【００５５】
上記［構成６］により、簡易な構成で確実に、スライド部６０のポンプ引出側Ｘ１へのスライドを規制できる。
【００５６】
（効果７（発明１４））
本実施形態のポンプ脱着方法による効果を説明する。ポンプ脱着方法は、図２に示す建設機械１に用いられる。建設機械１は、エンジン１５と、エンジン１５に取り付けられるポンプ１６と、ポンプ１６の上側Ｚ１に配置され排ガス浄化装置１８が取り付けられる架台１７と、を備える。
［構成７］ポンプ脱着方法は、架台１７に対してポンプ１６が支持されるポンプ支持工程と、ポンプ支持工程により支持されたポンプ１６がエンジン１５の出力軸の軸方向にスライドさせられるスライド工程と、を備える。
【００５７】
上記［構成７］では、ポンプ１６が架台１７に対してスライドさせられるので、上記「（効果１−１）」と同様の効果を奏する。また、上記［構成７］では、ポンプ１６がエンジン１５の出力軸の軸方向にスライドさせられるので、上記「（効果１−２）」および「（効果１−３）」と同様の効果を奏する。
【００５８】
（第２実施形態）
図７〜図１０を参照して、第２実施形態のポンプ脱着治具２２０およびポンプ脱着方法について、第１実施形態との相違点を説明する。なお、ポンプ脱着治具２２０のうち、第１実施形態との共通点については、第１実施形態と同一の符号を付し、説明を省略した。図７に示すように、ポンプ脱着治具２２０は、第１実施形態の引出規制部８０（図４参照）に代えて、スライド規制部２８０を備える。図８に示すように、ポンプ脱着治具２２０のガイド部６１は、突出部２６２を備える。
【００５９】
突出部２６２は、スライド規制部２８０によるスライド規制（後述）が解除されているときに、ガイド部６１がレール部３０と平行に配置されるように設けられる。突出部２６２は、ガイド部６１の下面（下側Ｚ２の面）に設けられる。突出部２６２は、ガイド部６１の本体部分（例えば四角柱状の部分）の下面から下側Ｚ２に突出する。突出部２６２は、ガイド部６１のポンプ取付側Ｘ２の端部に配置される。
【００６０】
スライド規制部２８０は、ポンプ引出側Ｘ１およびポンプ取付側Ｘ２へのスライド部６０のスライドを規制する（この規制を「スライド規制」とする）。スライド規制部２８０は、スライド部６０のスライド位置が所定の位置（スライド規制位置）のときに、スライド規制を行う。スライド規制部２８０は、スライド部６０のスライド位置がスライド規制位置以外のときには、スライド規制を行わない。スライド規制位置は、例えば第１実施形態の引出規制位置と同じ（またはほぼ同じ）位置である。スライド規制部２８０は、スライド部６０のスライド位置がスライド規制位置のときに、レール部３０の一部（またはレール部３０に固定された部材）と、スライド部６０の一部（またはスライド部６０に固定された部材）と、が連結（係合、差込など）できるように構成される。具体的には例えば、スライド規制部２８０は、穴部２８１と、突起部２８３と、を備える。
【００６１】
穴部２８１は、レール部３０に設けられる。穴部２８１は、例えばレール部３０のポンプ引出側Ｘ１端部（端の近傍）に配置される。図１０に示すように、穴部２８１は、レール部本体３３の下面３３ｂに形成される。穴部２８１は、下面３３ｂを上下方向Ｚに貫通する。穴部２８１は、下面３３ｂを上下方向Ｚに貫通しない穴（窪み、凹部）でもよい。上下方向Ｚから見たとき、穴部２８１は、例えば四角形などである（図示なし）。
【００６２】
突起部２８３（凸部）は、スライド部６０に設けられる。突起部２８３は、ガイド部６１の下面に設けられる。突起部２８３は、ガイド部６１の下面から下側Ｚ２に突出する。図８に示すように、突起部２８３は、ガイド部６１のポンプ引出側Ｘ１端部に配置される。突起部２８３は、穴部２８１に差込可能に形成される。上下方向Ｚから見たとき、突起部２８３は、穴部２８１よりも小さい四角形などである（図示なし）。突起部２８３は、ガイド部６１と一体的に構成される（別体でもよい）。なお、スライド規制部２８０は、ピン状の部材など（第１実施形態のピン状部材８１（図４参照）など）により、レール部３０とスライド部６０とを締結（固定）するものなどでもよい。
【００６３】
（動作）
第２実施形態のポンプ脱着方法の、第１実施形態との相違点は次の通りである。スライド工程（第１スライド工程）は次のように行われる。図８において二点鎖線で示すように、スライド部６０のスライド位置がスライド規制位置以外のとき、図９に示すように、突起部２８３は、レール部本体３３の下面３３ｂの上側Ｚ１に配置される。図８に示すスライド部６０がポンプ引出側Ｘ１にスライドさせられると、同図おいて実線で示すように、スライド部６０のスライド位置がスライド規制位置となる。すると、突起部２８３が穴部２８１に自動的に差し込まれる（落ちる、はまり込む）。その結果、スライド部６０（およびスライド部６０に支持されたポンプ１６（図２参照））のスライド方向Ｘへの移動が規制される。
【００６４】
ポンプ吊上工程は、ポンプ１６（図２参照）およびスライド部６０のスライド方向Ｘへの移動が規制された状態（安定した状態）で行われる。よって、ポンプ１６またはスライド部６０をクレーンにより吊り上げようとする際（吊り上がる前）に、ポンプ１６およびスライド部６０がスライド方向Ｘに移動しない。また、ポンプ１６およびスライド部６０が吊り上げられると、穴部２８１から突起部２８３が外れる（出る、抜かれる）。その結果、スライド部６０がスライド方向Ｘにスライド可能になる。
【００６５】
（効果８（発明７））
図８に示すポンプ脱着治具２２０による効果を説明する。ポンプ脱着治具２２０は、レール部３０およびスライド部６０に設けられるスライド規制部２８０を備える。
［構成８］スライド規制部２８０は、ポンプ引出側Ｘ１およびポンプ取付側Ｘ２へのスライド部６０のスライドを規制する。
【００６６】
上記［構成８］により、ポンプ１６（図２参照）およびスライド部６０の、スライド方向Ｘへのスライドが規制された状態（安定した状態）で、作業を行うことができる。上記「作業」は例えば、ポンプ１６またはスライド部６０をクレーンなどで吊り上げる作業（上記のポンプ吊上工程を参照）などである。
【００６７】
（効果９（発明８））
スライド部６０は、レール部３０に接触するとともにレール部３０にガイドされるガイド部６１を備える。
［構成９］ガイド部６１は、レール部３０の下面３３ｂよりも上側Ｚ１に配置される。スライド規制部２８０は、穴部２８１と、突起部２８３と、を備える。穴部２８１は、レール部３０の下面３３ｂに形成される。突起部２８３は、ガイド部６１の下面に設けられ、穴部２８１に差込可能に形成される。
【００６８】
上記［構成９］では、穴部２８１の上側Ｚ１に突起部２８３が配置されたときに、穴部２８１に突起部２８３が自動的に差し込まれる（落ちる）。よって、簡易な構成で確実に、スライド部６０のスライド方向Ｘのスライドを規制できる。
また、上記［構成９］では、スライド部６０のスライド方向Ｘのスライドを規制するために、穴部２８１と突起部２８３が用いられる。よって、レール部３０またはスライド部６０に対して着脱される部品（例えば第１実施形態のピン状部材８１（図４参照）など）が不要である。よって、ポンプ脱着治具２２０の部品点数を減らせる。
【００６９】
（第３実施形態）
図１１〜図１３を参照して、第３実施形態のポンプ脱着治具３２０およびポンプ脱着方法について、第１実施形態との相違点を説明する。なお、ポンプ脱着治具３２０のうち、第１実施形態との共通点については、第１実施形態と同一の符号を付し、説明を省略した。第１実施形態では図４に示すレール部３０は伸縮不能であるが、図１２に示すように、第３実施形態ではレール部３３０は伸縮可能である。また、レール部３３０には伸縮規制部３９０が設けられる。
【００７０】
レール部３３０は、スライド方向Ｘに伸縮可能に構成される。図１１に示すように、レール部３３０のスライド方向Ｘの長さは、レール部３３０が最も伸びた状態のときに、上記［位置α５］や［位置α６］までスライド部６０をポンプ引出側Ｘ１に引き出せるように設定される。レール部３３０は、固定レール部３３１と、可動レール部３４１と、を備える。
【００７１】
固定レール部３３１は、架台１７（架台本体１７ａ）に固定される。図１２に示すように、固定レール部３３１は、第１実施形態のレール部３０（図４参照）とほぼ同様に構成される。固定レール部３３１には、伸縮規制用部材３９３（後述）が差し込まれる孔が形成される。
【００７２】
可動レール部３４１は、固定レール部３３１に取り付けられる。可動レール部３４１は、固定レール部３３１に対してスライド方向Ｘにスライド可能である。可動レール部３４１（中間部材）は、固定レール部３３１とガイド部６１との間（中間部分）に配置される。図１３に示すように、可動レール部３４１は、固定レール部３３１の内側に配置され、ガイド部６１の外側に配置される。なお、図１３は、図１２に示す状態からレール部３３０を縮小させた状態（図示なし）のときの、断面Ｆ１３の位置での断面を示す図である。図１２に示すように、可動レール部３４１は、固定レール部３３１とほぼ同様の形状を備える（後述する伸縮規制用スリット３９１部分は固定レール部３３１と異なる）。可動レール部３４１は、固定レール部３３１に対して可動レール部３４１を容易に抜き差しできるように構成される。さらに詳しくは、固定レール部３３１に可動レール部３４１が差し込まれた状態のときでも、可動レール部３４１の一部が、固定レール部３３１からスライド方向Ｘ（ポンプ引出側Ｘ１およびポンプ取付側Ｘ２の少なくとも一方）に出る（はみ出る）ように構成される。具体的には、スライド方向Ｘにおける可動レール部３４１の長さは、スライド方向Ｘにおける固定レール部３３１の長さよりも長い。可動レール部３４１は、第１実施形態のレール部３０（図４参照）と同様に、スライド方向Ｘにスライド可能にスライド部６０を支持する。可動レール部３４１は、可動レール部本体３４３と、スライド用スリット３４５と、を備える。
【００７３】
可動レール部本体３４３は、図１３に示すように、固定レール部３３１のレール部本体３３と同様に、下面３４３ｂと、内側側面３４３ｉと、外側側面３４３ｏと、上面３４３ｕと、を備える。
【００７４】
スライド用スリット３４５は、固定レール部３３１のスリット３５と同じ機能を有する。スライド用スリット３４５は、連結部６３（梁６３ｙ（図５参照））が通過可能に構成され、例えば内側側面３４３ｉに形成される。
【００７５】
伸縮規制部３９０は、図１２に示すように、固定レール部３３１に対する可動レール部３４１のスライドを規制する（この規制を「伸縮規制」とする）。伸縮規制部３９０は、固定レール部３３１に対する可動レール部３４１の位置（伸縮位置）が、所定の範囲（伸縮規制範囲）に収まるように、伸縮規制を行う。伸縮規制部３９０は、固定レール部３３１から可動レール部３４１をポンプ引出側Ｘ１に引き出し過ぎることを抑制する。伸縮規制部３９０は、固定レール部３３１と可動レール部３４１とが重なる部分（かかり代）を十分確保できるように、伸縮規制を行う。上記かかり代が確保されることで、レール部３３０の強度を確保できる。伸縮規制部３９０は、固定レール部３３１に対して可動レール部３４１がポンプ取付側Ｘ２に差し込まれすぎることを抑制する。さらに詳しくは、固定レール部３３１に対して可動レール部３４１が最もポンプ取付側Ｘ２に差し込まれた状態のときでも、可動レール部３４１が固定レール部３３１からポンプ引出側Ｘ１に出る（はみ出る）ように、伸縮規制部３９０は伸縮規制を行う。これにより、固定レール部３３１のポンプ引出側Ｘ１の端部から可動レール部３４１をポンプ引出側Ｘ１に引き出せなくなる（または引き出しにくくなる）ことを抑制できる。伸縮規制部３９０は、伸縮規制用スリット３９１と、伸縮規制用部材３９３と、を備える。
【００７６】
伸縮規制用スリット３９１は、可動レール部３４１に設けられ、スライド方向Ｘに延びる。伸縮規制用スリット３９１は、可動レール部３４１の上面３４３ｕに形成される。伸縮規制用スリット３９１は、外側側面３４３ｏ（図１３参照）などに形成されてもよい。伸縮規制用スリット３９１は、伸縮規制用スリット３９１が形成される面（例えば上面３４３ｕ）の面内に収まる。伸縮規制用スリット３９１のポンプ引出側Ｘ１の端部は、可動レール部３４１の（上面３４３ｕの）ポンプ引出側Ｘ１の端部よりもポンプ取付側Ｘ２である。伸縮規制用スリット３９１のポンプ取付側Ｘ２の端部は、可動レール部３４１（上面３４３ｕ）のポンプ取付側Ｘ２の端部よりもポンプ引出側Ｘ１である。伸縮規制用スリット３９１のスライド方向Ｘの長さは、例えば、固定レール部３３１よりも短い。なお、伸縮規制用スリット３９１が上面３４３ｕのポンプ引出側Ｘ１端部の近傍にあるので、引出規制部８０のピン状部材８１は、上面３４３ｕを貫通せずに下面３４３ｂ（図１３参照）を貫通する。また、ピン状部材８１に取り付けられたナットを介して、ピン状部材８１がスライド側接触部８３に接触可能である。
【００７７】
伸縮規制用部材３９３は、固定レール部３３１に設けられる（固定される）。伸縮規制用部材３９３は、伸縮規制用スリット３９１に差し込まれる。伸縮規制用部材３９３は、例えばピン状の部材であり、例えばボルトである。伸縮規制用部材３９３は、固定レール部３３１の例えば上面３３ｕに固定される。さらに詳しくは、伸縮規制用部材３９３は、伸縮規制用スリット３９１が形成された可動レール部３４１の面（上面３４３ｕ）と対向する、固定レール部３３１の面（上面３３ｕ）に固定される。ピン状の伸縮規制用部材３９３は、上面３３ｕを貫通する。ボルトであるピン状の伸縮規制用部材３９３には、ナットが取り付けられる。図１３に示すように、このナットは、可動レール部３４１の内側に配置される。このナットは、上面３４３ｕよりも下側Ｚ２、伸縮規制用スリット３９１よりも下側Ｚ２に配置される。
【００７８】
（動作）
図１２に示すレール部３３０が伸ばされるときの動作（レール部伸長工程）は次の［工程Ｇ−１］および［工程Ｇ−２］の通りである。［工程Ｇ−１］可動レール部３４１が、固定レール部３３１からポンプ引出側Ｘ１に引き出される。なお、上記「ポンプ引出側Ｘ１」は、架台１７（図１１参照）にレール部３３０が取り付けられているとした場合のポンプ引出側Ｘ１である（他の方向についても同様）。［工程Ｇ−２］伸縮規制用スリット３９１のポンプ取付側Ｘ２端部が伸縮規制用部材３９３に接触する。その結果、固定レール部３３１に対する可動レール部３４１のポンプ引出側Ｘ１へのスライドが規制される。
【００７９】
レール部３３０が縮められるときの動作（レール部縮小工程）は次の［工程Ｈ−１］〜［工程Ｈ−３］の通りである。［工程Ｈ−１］可動レール部３４１が、固定レール部３３１に対してポンプ取付側Ｘ２に差し込まれる。［工程Ｈ−２］伸縮規制用スリット３９１のポンプ引出側Ｘ１端部が伸縮規制用部材３９３に接触する。その結果、固定レール部３３１に対する可動レール部３４１のポンプ取付側Ｘ２へのスライドが規制される。［工程Ｈ−３］上記［工程Ｈ−２］のとき、固定レール部３３１のポンプ引出側Ｘ１端部から、可動レール部３４１の一部がポンプ引出側Ｘ１に出た状態（はみ出た状態）になる。
【００８０】
（効果１０（発明９））
図１２に示すポンプ脱着治具３２０による効果を説明する。
［構成１０−１］レール部３３０は、スライド方向Ｘに伸縮可能に構成される。レール部３３０は、架台１７（図１１参照）に固定される固定レール部３３１と、可動レール部３４１と、を備える。可動レール部３４１は、固定レール部３３１に取り付けられ、固定レール部３３１に対してスライド方向Ｘにスライド可能である。
［構成１０−２］可動レール部３４１は、スライド方向Ｘにスライド可能にスライド部６０を支持する。
【００８１】
上記［構成１０−１］のように、レール部３３０は伸縮可能である。よって、レール部３３０を縮小状態（例えば最も縮んだ状態）とすることで、レール部３３０のスライド方向Ｘの長さを短くできる（コンパクトにできる）。その結果、例えばレール部３３０の運搬が容易になり、また例えばレール部３３０の保管スペースを削減できる。
【００８２】
上記［構成１０−１］および［構成１０−２］により、図１１に示すように、レール部３３０を伸長状態（例えば最も伸びた状態）とすることで、スライド部６０を、よりポンプ引出側Ｘ１に引き出せる。よって、ポンプ１６を、よりポンプ引出側Ｘ１に引き出せる。よって、ポンプ１６をポンプ引出側Ｘ１に引き出した状態で行われる作業（例えばポンプ吊上工程など）を行いやすい。
【００８３】
（効果１１（発明１０））
［構成１１］図１２に示すように、レール部３３０は、固定レール部３３１および可動レール部３４１に設けられる伸縮規制部３９０を備える。伸縮規制部３９０は、固定レール部３３１に対する可動レール部３４１のスライド（スライド方向Ｘのスライド）を規制するように構成される。
【００８４】
上記［構成１１］により、固定レール部３３１に対して可動レール部３４１がスライドしすぎることによる問題を抑制できる。その結果、次の［効果１１−１］および［効果１１−２］の少なくともいずれかを奏する。［効果１１−１］固定レール部３３１に対して可動レール部３４１がポンプ引出側Ｘ１に引き出され過ぎることで、レール部３３０の強度が確保できない問題を抑制できる。［効果１１−２］固定レール部３３１に対して可動レール部３４１がポンプ取付側Ｘ２に差し込まれ過ぎることで、固定レール部３３１から可動レール部３４１を引き出せなくなる（または引き出しにくくなる）問題を抑制できる。
【００８５】
（効果１２（発明１１））
［構成１２］伸縮規制部３９０は、伸縮規制用スリット３９１と、伸縮規制用部材３９３と、を備える。伸縮規制用スリット３９１は、可動レール部３４１に形成され、スライド方向Ｘに延びる。伸縮規制用部材３９３は、固定レール部３３１に固定され、伸縮規制用スリット３９１に差し込まれる。
【００８６】
上記［構成１２］により、簡易な構成で確実に、固定レール部３３１に対する可動レール部３４１のスライド（スライド方向Ｘのスライド）を規制できる。
【００８７】
（第４実施形態）
図１４〜図１５を参照して、第４実施形態のポンプ脱着治具４２０およびポンプ脱着方法について、第１実施形態との相違点を説明する。なお、ポンプ脱着治具４２０のうち、第１実施形態との共通点については、第１実施形態と同一の符号を付し、説明を省略した。図１４に示すように、ポンプ脱着治具４２０では、レール部３０の上面３３ｕに開口部４３７がある。
【００８８】
開口部４３７は、レール部３０に対してスライド部６０を容易に脱着できるように構成される。開口部４３７は、レール部３０（下面３３ｂ（図１５参照））に接触しているスライド部６０（ガイド部６１）を上側Ｚ１に移動させたとき（ポンプ吊上工程時）、スライド部６０（ガイド部６１および連結部６３）が開口部４３７を通過できるように構成される。開口部４３７は、レール部３０（レール部本体３３）の上面３３ｕに形成される。開口部４３７は、スライド部６０のスライド位置が所定の位置（スライド部取外し位置）のときの、ガイド部６１の上側Ｚ１（真上）に配置される。開口部４３７は、内側側面３３ｉに形成される。開口部４３７は、スライド部６０のスライド位置がスライド部取外し位置のときの、連結部６３の上側Ｚ１（真上）に配置される。図１５に示すように、開口部４３７は、上面３３ｕと内側側面３３ｉとにわたって（連続して）形成される。上下方向Ｚから見たとき（図示なし）、図１４に示す開口部４３７は、ガイド部６１よりも大きい。開口部４３７のスライド方向Ｘの長さは、ガイド部６１のスライド方向Ｘの長さよりも長い。開口部４３７のスライド幅方向Ｙの幅は、ガイド部６１のスライド幅方向Ｙの長さよりも長い。
【００８９】
（動作）
第４実施形態では、第１実施形態のスライド部引抜工程は行われない。第４実施形態では、ポンプ吊上工程を行うのみで、レール部３０からスライド部６０を取り外すことができる。具体的には、スライド部６０がスライド部取外し位置のときに、ポンプ１６（図２参照）またはスライド部６０をクレーンで吊り上げると、スライド部６０が開口部４３７を通過する。この際、第１実施形態のスライド部引抜工程のような細かいクレーン操作（スライド部６０およびポンプ１６をスライド方向Ｘに移動させるクレーン操作）は、不要である。
【００９０】
（効果１３（発明１３））
図１４に示すポンプ脱着治具４２０による効果を説明する。レール部３０は、開口部４３７を備える。
［構成１３］開口部４３７は、レール部３０に接触しているスライド部６０を上側Ｚ１に移動させたときに、スライド部６０が開口部４３７を通過できるように構成される。
【００９１】
上記［構成１３］により、スライド部６０を上側Ｚ１に移動させる（例えば吊り上げる）だけで、レール部３０からスライド部６０を取り外すことができる。よって、レール部３０からスライド部６０を取り外す際にスライド部６０をスライド方向Ｘにスライドさせる必要があるときと比べ、レール部３０からスライド部６０を容易に取り外せる。
【００９２】
（第５実施形態）
図１６を参照して、第５実施形態のポンプ脱着治具５２０およびポンプ脱着方法について、第４実施形態との相違点を説明する。なお、ポンプ脱着治具５２０のうち、第４実施形態との共通点については、第４実施形態と同一の符号を付し、説明を省略した。ポンプ脱着治具５２０は、第１実施形態の引出規制部８０（図４参照）とは異なる引出規制部５８０を備える。
【００９３】
引出規制部５８０は、第１実施形態の引出規制部８０（図４参照）と同じ機能を有する。引出規制部５８０は、折曲部５８１と、第１実施形態と同様のスライド側接触部８３と（図１６において二点鎖線で示すスライド部６０に符号を付した）、を備える。折曲部５８１は、第１実施形態のピン状部材８１（図４参照）と同じ機能を有する。折曲部５８１は、開口部４３７のポンプ引出側Ｘ１端部の下側Ｚ２（真下）に配置される。折曲部５８１は、レール部本体３３と一体的に構成される。折曲部５８１は、上面３３ｕから下に延びる。折曲部５８１は、開口部４３７が形成される前に開口部４３７の位置にあった上面３３ｕを、下側Ｚ２に折り曲げる（曲げ加工する）ことにより形成される。曲げ加工により折曲部５８１が形成される場合、レール部３０とは別の部品（第１実施形態のピン状部材８１（図４参照）など）が不要であるので、部品点数を削減できる。
【００９４】
（第６実施形態）
図１７を参照して、第６実施形態のポンプ脱着治具６２０およびポンプ脱着方法について、第１実施形態との相違点を説明する。なお、ポンプ脱着治具６２０のうち、第１実施形態との共通点については、第１実施形態と同一の符号を付し、説明を省略した。図６に示すように、第１実施形態のスライド部６０の連結部６３は、レール部３０からスライド幅方向内側Ｙ１に突出した。図１７に示すように、第６実施形態の連結部６６２は、レール部３０から下側Ｚ２に突出する上下連結部６６５を備える。また、第６実施形態のレール部３０のスリット６３５およびスライド部６０のガイド部６６１の構成は、第１実施形態のスリット３５（図６参照）およびガイド部６１（図６参照）と異なる。
【００９５】
スリット６３５は、第１実施形態のスリット３５（図６参照）と同様に、連結部６６２が通過可能に構成される。スリット６３５は、レール部本体３３の下面３３ｂに形成される。
【００９６】
ガイド部６６１は、レール部本体３３の下面３３ｂと適切に接触するように構成される。ガイド部６６１は、スリット６３５よりもスライド幅方向内側Ｙ１の位置と、スリット６３５よりもスライド幅方向外側Ｙ２の位置と、で下面３３ｂに接触する。ガイド部６６１は、上下連結部６６５からスライド幅方向内側Ｙ１およびスライド幅方向外側Ｙ２に突出する。
【００９７】
連結部６６２は、第１実施形態の連結部６３（図６参照）と同様に、２本のガイド部６６１・６６１どうしを連結する。連結部６６２は、幅方向連結部６６３と、上下連結部６６５と、を備える。
【００９８】
幅方向連結部６６３は、第１実施形態の連結部６３（図６参照）とほぼ同様に構成される。幅方向連結部６６３は、上下連結部６６５を介してガイド部６６１に固定される。幅方向連結部６６３は、スリット６３５に通されない。
【００９９】
上下連結部６６５は、ガイド部６６１と幅方向連結部６６３とを連結する。上下連結部６６５は、上下方向Ｚに延びる。上下連結部６６５は、ガイド部６６１から下側Ｚ２に延びる。上下連結部６６５は、幅方向連結部６６３のスライド幅方向外側Ｙ２の端部に固定される。上下連結部６６５は、スリット６３５に通される。
【０１００】
（第７実施形態）
図１８〜図１９を参照して、第７実施形態のポンプ脱着治具７２０およびポンプ脱着方法について、第１実施形態との相違点を説明する。なお、ポンプ脱着治具７２０のうち、第１実施形態との共通点については、第１実施形態と同一の符号を付し、説明を省略した。図１９に示すように、ポンプ脱着治具７２０は、第１実施形態のレール部３０（図４参照）に代えて、棒状部材７３０を備える。ポンプ脱着治具７２０は、スライド部６０（図４参照）を備えない。ポンプ脱着治具７２０のブラケット７５０の構成は、第１実施形態のブラケット５０（図４参照）と異なる。
【０１０１】
ポンプ脱着治具７２０は、棒状部材７３０と、ブラケット７５０と、図１８に示す吊下部材７０（第１実施形態と同様）と、を備える。
【０１０２】
棒状部材７３０は、吊下部材７０を介してポンプ１６を支持する部材である。棒状部材７３０は、第１実施形態のレール部３０（図４参照）と同様に配置される。棒状部材７３０は、ブラケット７５０を介して架台１７に固定される。図１９に示すように、棒状部材７３０は、例えばパイプ（中空の棒）である。棒状部材７３０は、中実の棒（中空でない棒）でもよい（図示なし）。棒状部材７３０には、吊下部材７０が取り付けられる（掛けられる）。
【０１０３】
ブラケット７５０は、棒状部材７３０と架台１７（架台本体１７ａ）とを連結する。ブラケット７５０は、例えばアイボルトである。ブラケット７５０は、棒状部材７３０が差し込まれる（通される）輪状部と、架台１７に取り付けられる（締結される）ボルト部と、を備える。ブラケット７５０と棒状部材７３０とは固定されなくてもよい（固定されてもよい）。なお、アイボルトであるブラケット７５０と架台１７との間に、第１実施形態と同様のブラケット５０（図４参照）などが取り付けられてもよい。この場合、第１実施形態と同様に、棒状部材７３０と架台１７との間隔を調整できる。
【０１０４】
（ポンプ脱着方法）
第７実施形態のポンプ取付工程は、例えば、ポンプ脱着治具組立工程と、ポンプ支持工程（第１ポンプ支持工程）と、エンジン−ポンプ取外し工程（第１実施形態と同様）と、スライド工程（第１ポンプスライド工程）と、ポンプ吊上工程と、を備える。第７実施形態のポンプ脱着方法は、第１実施形態のスライド部引抜工程を備えない。
【０１０５】
ポンプ脱着治具組立工程は、次のように行われる。ブラケット７５０が、架台本体１７ａの下側Ｚ２の位置で、架台本体１７ａに固定される。棒状部材７３０が、ブラケット７５０の輪状部分に差し込まれる。
【０１０６】
ポンプ支持工程は、次の［工程Ｉ−１］〜［工程Ｉ−２］のように行われる。［工程Ｉ−１］図１８に示す吊下部材７０が、ポンプ１６と棒状部材７３０とに取り付けられる。例えば、吊下部材７０を構成する線状部材がポンプ１６に掛けられ、吊下部材７０を構成するフック（図示なし）が棒状部材７３０に引っ掛けられる。［工程Ｉ−２］第１実施形態と同様に、ポンプ１６が上側Ｚ１に引き上げられる。次に、第１実施形態と同様のエンジン−ポンプ取外し工程が行われる。
【０１０７】
スライド工程は、次の［工程Ｊ−１］〜［工程Ｊ−３］のように行われる。［工程Ｊ−１］ポンプ１６および吊下部材７０が、ポンプ引出側Ｘ１にスライドさせられる（引っ張られる）。［工程Ｊ−２］吊下部材７０がブラケット７５０を越えるときには、吊下部材７０が掛け替えられる。さらに詳しくは、ポンプ１６および吊下部材７０がポンプ引出側Ｘ１にスライドさせられると、ブラケット７５０よりもポンプ取付側Ｘ２にある吊下部材７０が、このブラケット７５０に接触する。すると、吊下部材７０のポンプ引出側Ｘ１へのスライドが不可能になる。そこで、新たな吊下部材７０が、このブラケット７５０よりもポンプ引出側Ｘ１の位置で、棒状部材７３０およびポンプ１６に取り付けられる。その後、このブラケット７５０よりもポンプ取付側Ｘ２の吊下部材７０が、棒状部材７３０およびポンプ１６から取り外される。その結果、ポンプ１６および吊下部材７０のポンプ引出側Ｘ１へのスライドが再び可能になる。［工程Ｊ−３］ブラケット７５０および吊下部材７０の配置および数に応じて、上記［工程Ｊ−１］および［工程Ｊ−２］が繰り返される。そして、所定位置（上記［位置α１］〜［位置α６］のいずれかなど）まで、ポンプ１６がポンプ引出側Ｘ１にスライドさせられる。
【０１０８】
ポンプ吊上工程では、クレーンによりポンプ１６が吊り上げられる。そして、ポンプ１６が建設機械１の外に取り外される。
【０１０９】
第７実施形態のポンプ取付工程は、第７実施形態のポンプ取外し工程のほぼ逆の手順により行われる。例えば、ポンプ取付工程は、第２ポンプ支持工程と、第２スライド工程と、ポンプ固定工程と、ポンプ脱着治具分解工程と、を備える。第２ポンプ支持工程は、ポンプ取外し工程でのポンプ支持工程（第１ポンプ支持工程）と異なり、建設機械１の外にあるポンプ１６が吊下部材７０を介して棒状部材７３０により支持される。第２スライド工程は、ポンプ取外し工程でのスライド工程（第１スライド工程）に対し、ポンプ１６および吊下部材７０のスライドの向きが逆（ポンプ取付側Ｘ２）である。ポンプ固定工程は、第１実施形態と同様に、ポンプ１６がエンジン１５に取り付けられる（固定される）工程である。ポンプ脱着治具分解工程は、ポンプ取付工程のポンプ脱着治具組立工程とは逆に、ポンプ脱着治具７２０が架台１７から取り外され、ポンプ脱着治具７２０が分解される工程である。
【０１１０】
第７実施形態のポンプ脱着治具７２０およびポンプ脱着方法では、図４に示すレール部３０およびスライド部６０を用いる場合（第１実施形態〜第６実施形態参照）に比べ、簡易な構成で上記「（効果１）」を奏する。
【０１１１】
（その他の変形例）
上記の各実施形態は様々に変形できる。例えば、各実施形態の構成要素どうしを組み合わせてもよい。具体的には例えば、第１実施形態の引出規制部８０（図４参照）、第２実施形態のスライド規制部２８０（図８参照）、第３実施形態の伸縮式のレール部３３０（図１２参照）、第４実施形態の開口部４３７（図１４参照）、および第６実施形態の連結部６６２（図１７参照）の各種構成要素のうち２種以上の構成要素を組み合わせてもよい。
【０１１２】
また例えば、図４などに示すように、第１実施形態〜第６実施形態のスライド部６０は、レール部３０（第３実施形態ではレール部３３０）にガイドされた。しかし、スライド部６０は、レール部３０を用いない手段（例えばローラ、車輪など）により、スライド方向Ｘにスライド可能に構成されてもよい。
【０１１３】
また例えば、図２などに示すように、第１実施形態〜第６実施形態では、スライド部６０がポンプ１６の上側Ｚ１に配置され、ポンプ１６が吊下部材７０により上側Ｚ１に引き上げられた。しかし、スライド部６０がポンプ１６の下側Ｚ２に配置され、ポンプ１６がリフトアップ装置（ジャッキなど）により下側Ｚ２から持ち上げられてもよい。このリフトアップ装置は、スライド部６０の上側Ｚ１（真上）かつポンプ１６の下側Ｚ２（真下）に配置される。
【０１１４】
また例えば、図５などに示すように、第１実施形態〜第６実施形態では、スライド部６０は、棒状の部材を組み合わせたものであり、板状部材を備えてもよいものであった。しかし、特に、スライド部６０がポンプ１６（図２参照）の下側Ｚ２に配置される場合などには、スライド部６０は、台状（例えば直方体状、また例えば角錐台状など）でもよい。
【符号の説明】
【０１１５】
１    建設機械
１５  エンジン
１６  ポンプ
１７  架台
１８  排ガス浄化装置
２０、２２０、３２０、４２０、５２０、６２０  ポンプ脱着治具
３０、３３０  レール部
３３ｕ  上面
５０    ブラケット
６１、６６１  ガイド部
８０、５８０  引出規制部
８１    ピン状部材
２８０  スライド規制部
２８１  穴部
２８３  突起部
３３１  固定レール部
３４１  可動レール部
３９０  伸縮規制部
３９１  伸縮規制用スリット
３９３  伸縮規制用部材
４３７  開口部
Ｘ    スライド方向
Ｘ１  ポンプ引出側
Ｘ２  ポンプ取付側
【図１】
2015218667.tif 000003
【図２】
2015218667.tif 000004
【図３】
2015218667.tif 000005
【図４】
2015218667.tif 000006
【図５】
2015218667.tif 000007
【図６】
2015218667.tif 000008
【図７】
2015218667.tif 000009
【図８】
2015218667.tif 000010
【図９】
2015218667.tif 000011
【図１０】
2015218667.tif 000012
【図１１】
2015218667.tif 000013
【図１２】
2015218667.tif 000014
【図１３】
2015218667.tif 000015
【図１４】
2015218667.tif 000016
【図１５】
2015218667.tif 000017
【図１６】
2015218667.tif 000018
【図１７】
2015218667.tif 000019
【図１８】
2015218667.tif 000020
【図１９】
2015218667.tif 000021